(57)【要約】【課題】  表示画面を備えた電気光学表示体が自転可能に構成されてなる電気光学装置において、表示を明るくし、鮮明な画像を視認することのできる構成を提供する。【解決手段】  本発明の電気光学装置１００は、表示画面を備えた電気光学表示体１１０と、前記電気光学表示体を自転可能に案内する軸支構造１２０とを有する電気光学装置であって、前記電気光学表示体は、異なる自転角度位置に対応して設けられた複数の前記表示画面１１０Ａ，１１０Ｂを有することを特徴とする。【選択図】図１
2005189621.tif 000002
【特許請求の範囲】
【請求項１】
表示画面を備えた電気光学表示体と、前記電気光学表示体を自転可能に案内する軸支構造とを有する電気光学装置であって、
前記電気光学表示体は、異なる自転角度位置に対応して設けられた複数の前記表示画面を有することを特徴とする電気光学装置。
【請求項２】
前記複数の表示画面は、前記電気光学表示体の自転軸の周りに等角度間隔で配置されていることを特徴とする請求項１に記載の電気光学装置。
【請求項３】
一の前記表示画面を備えた表示体部分の側縁部は、これに隣接する他の前記表示画面を備えた表示体部分の側端面と重なるように配置されていることを特徴とする請求項１又は２に記載の電気光学装置。
【請求項４】
前記複数の表示画面は共通の照明装置により供給される光により画像を表示するように構成されていることを特徴とする請求項１乃至３のいずれか一項に記載の電気光学装置。
【請求項５】
請求項１乃至４のいずれか一項に記載の電気光学装置と、前記電気光学表示体を回転駆動する駆動手段と、前記電気光学表示体の前記表示画面を表示制御する表示制御手段とを有することを特徴とする電子機器。
【発明の詳細な説明】
【技術分野】
【０００１】
本発明は電気光学装置及び電子機器に係り、特に、表示画面を自転させて所要の表示態様を得るように構成された表示装置として用いる場合に好適な電気光学装置及び電子機器の構成に関する。
【背景技術】
【０００２】
従来から、表示画面を備えた液晶表示体を自転させることにより、異なる方向に異なる画像を表示したり、３次元的な画像を形成したりする回転型のバーチャルディスプレイシステムが知られている（例えば、以下の非特許文献１参照）。この種のシステムでは、液晶表示体を高速に自転させるとともに、その自転周期に同期させて表示画面を切り換えることで、視覚の残像を利用して特定方向から静止画像や動画を視認できるように構成されている。
【０００３】
また、上記のシステムと類似した装置として、自転するスクリーンに対して立体の断面像を投影する手段を備えた立体画像表示装置がある（例えば、以下の特許文献１参照）。この装置は、自転するスクリーンに表示対象物の断面画像を順次投影することにより、視覚の残像効果を利用して立面画像を表示する。この立体画像表示装置は、スクリーンに立体画像を構成する断面画像を投影するための光学系や各種データ処理を行うためのハウジング、及び、ハウジングの上部に設けられて内部に回転するスクリーンを収容する円筒状の風防を備えている。この風防はスクリーンを収容する内部空間を密閉している。
【非特許文献１】前田寛幸、他３名、「実空間ビデオアバタのための全周ディスプレイシステムの試作と評価」  日本バーチャルリアリティ学界第８回大会論文集  Ｐ．１１５−１１８（２００３年９月）
【特許文献１】特開２００１−１９７５２４号公報
【発明の開示】
【発明が解決しようとする課題】
【０００４】
しかしながら、上記従来のバーチャルディスプレイシステムでは、液晶表示体の表示画面が特定角度方向を向いたときに所定の画像を表示するように構成することにより、視覚の残像効果によって特定角度方向において静止画像や動画が視認可能となるように構成したものであるため、特定の角度方向にいる観察者にとっては液晶表示体の一回転につき１回だけ画像が表示されるだけであることから、表示画面の輝度が通常の静止した状態で視認される表示体と同様である場合には、表示が暗くなり、画像を明瞭に視認することができないという問題点がある。
【０００５】
また、上記の立体画像表示装置においては、断面画像を回転するスクリーン上に投影することによって立体画像を表示するようにしているため、立体画像の各断面はスクリーンの一回転に一回ずつ投影されるだけであることから、上記と同様に表示が暗く、また、立体画像の鮮明度を高めることが難しいという問題点がある。
【０００６】
そこで、本発明は上記問題点を解決するものであり、その課題は、表示画面を備えた電気光学表示体が自転可能に構成されてなる電気光学装置において、表示を明るくし、鮮明な画像を視認することのできる構成を実現することにある。
【課題を解決するための手段】
【０００７】
本発明の電気光学装置は、表示画面を備えた電気光学表示体と、前記電気光学表示体を自転可能に案内する軸支構造とを有する電気光学装置であって、前記電気光学表示体は、異なる自転角度位置に対応して設けられた複数の前記表示画面を有することを特徴とする。
【０００８】
これによれば、電気光学表示体を自転させたときに、異なる自転角度位置に対応して設けられた複数の表示画面により、特定の自転角度位置において所定の画像を表示することにより、電気光学装置が一回転する間に複数の表示画面で画像を表示することができるため、特定の自転角度位置を視認する観察者の感じる表示の明るさを高めることができるとともに、画像の鮮明度を向上させることができる。
【０００９】
本発明において、前記複数の表示画面は、前記電気光学表示体の自転軸の周りに等角度間隔で配置されていることが好ましい。これによれば、電気光学表示体を自転させたときに、表示画面が特定の自転角度位置に向く時間タイミングを等間隔に設定できるため、画像のちらつきなどをなくし、自然な画像表示を行うことができる。特に、動画像の表示特性が向上させることができる。また、複数の表示画面が自転軸の周りに等角度間隔で配置されていることで、電気光学表示体の自転軸周りの重量分布を緩和することができるので、電気光学表示体をスムーズに自転させることが可能になる。
【００１０】
本発明において、一の前記表示画面を備えた表示体部分の側縁部は、これに隣接する他の前記表示画面を備えた表示体部分の側端面と重なるように配置されていることが好ましい。これによれば、一の表示画面を備えた表示体部分（例えば、後述する表示パネル、以下同様。）の側縁部が他の表示画面を備えた表示体部分の側端面と重なるので、一の表示画面を視認しているときに、その外側に他の表示画面の表示体部分の側端面が視認されにくくなるため、観察者が感じる表示品位を向上させることができる。特に、一の表示画面の次に他の表示画面が視認される方向に電気光学表示体を自転させる場合には、表示画像の自転方向の端部をシャープに視認できるようになる。また、この効果をさらに高めるには、一の表示画面の表示体部分ではなく、一の表示画面そのものが、隣接する表示体部分の側端面と重なるように構成されることが望ましい。
【００１１】
本発明において、前記複数の表示画面は共通の照明装置により供給される光により画像を表示するように構成されていることが好ましい。これによれば、複数の表示画面が共通の照明装置によって照明されることにより、消費電力を低減することが可能になる。
【００１２】
本発明の電子機器は、上記のいずれか一項に記載の電気光学装置と、前記電気光学表示体を回転駆動する駆動手段と、前記電気光学表示体の前記表示画面を表示制御する表示制御手段とを有することを特徴とする。本発明の電子機器としては、多方向から同一若しくは異なる画像を視認できる表示機器、立体的な画像を視認できる表示機器、多方向に画像を投影できる画像投射機器などが挙げられる。
【発明を実施するための最良の形態】
【００１３】
次に、添付図面を参照して本発明の実施形態について詳細に説明する。なお、以下に説明する各実施形態は、いずれも本発明に係る電気光学装置を備えた電子機器（表示装置）として説明するが、各種の電子機器に搭載される電気光学装置単体として構成することもできる。また、以下の各実施形態では、電気光学表示体として液晶表示体を用いる構成例のみを示すが、他の電気光学表示体、例えば、エレクトロルミネッセンス表示体、有機エレクトロルミネッセンス表示体、プラズマディスプレイ表示体、電気泳動ディスプレイ表示体、電子放出素子を用いた表示体（Field Emission Display 及び Surface-Conduction Electron-Emitter Display 等）などの各種の電気光学表示体においても本発明を同様に適用することが可能である。
【００１４】
［第１実施形態］
図１は本発明に係る電子機器の第１実施形態である表示装置１００の前方斜視図（ａ）及び後方斜視図（ｂ）、図２は同表示装置１００の縦断面図、図３は同表示装置１００の平面図である。この表示装置１００は、電気光学表示体１１０と、この電気光学表示体１１０を自転可能に軸支する軸支構造１２０とを有する。これらの電気光学表示体１１０及び軸支構造１２０は本発明に係る電気光学装置に相当するものである。
【００１５】
電気光学表示体１１０はその表面に表示画面１１０Ａを備え、この表示画面１１０Ａの裏側にもう一つの表示画面１１０Ｂを備えている。また、軸支構造１２０は、電気光学表示体１１０を支持する支持軸１２１と、この支持軸１２１を回転自在に軸支する軸受１２２とを有する。ケース１０１には、上記支持軸１２１を回転駆動するための駆動手段である駆動モータ１０２と、支持軸１２１を介して電気光学表示体１１０に電力や制御信号などを供給する制御手段１０３とが収容されている。
【００１６】
ここで、電気光学表示体１１０を覆う保護部材１３０（図１に一点鎖線で示す。）を設けることが好ましい。この保護部材１３０は、透明な素材で構成されていることが望ましいが、その少なくとも一部に上記表示画面１１０Ａ，１１０Ｂを視認可能とする透光部を有するものであればよい。ここで、保護部材１３０により電気光学表示体１１０を密封することが騒音を低減し、安全性を確保する上で望ましい。
【００１７】
電気光学表示体１１０は板状（フラットパネル状）に構成され、その両面に表示画面１１０Ａ及び１１０Ｂを備えた枠体１１０Ｓを備えている。枠体１１０Ｓの内部には、図３に示すように、上記表示画面１１０Ａを構成する表示パネル１１０Ｐａと、上記表示画面１１０Ｂを構成する表示パネル１１０Ｐｂとが収容されている。これらの表示パネル１１０Ｐａと１１０Ｐｂとの間には、後述する照明装置１１９が配置されている。
【００１８】
この電気光学表示体１１０の自転軸１１０Ｘは、表示画面１１０Ａの法線（垂線）と非平行であればよいが、特に表示画面１１０Ａと平行に設定されていることが好ましい。また、図示例では自転軸１１０Ｘは垂直軸であるが、表示画面１１０Ａ，１１０Ｂと平行であれば、斜め方向や水平方向に設定されていてもよい。特に、自転軸１１０Ｘは、図示例のように電気光学表示体１１０の中心部を通過するように設定されていることが望ましい。
【００１９】
なお、図１に示す保護部材１３０の内面は、自転する電気光学表示体１１０の軌跡が通過占有する自転空間の外周形状と同軸相似形の内周形状を備えていることが好ましい。これによって、内部の気流の乱れを最小限にとどめることができ、騒音や回転負荷を低減することができる。
【００２０】
保護部材１３０の少なくとも透光部には、その外面若しくは内面における表面反射を低減するための反射防止手段が設けられていることが好ましい。この反射防止手段としては、例えば、保護部材１３０の表面上に形成された反射防止膜（ＡＲコーティング膜）が挙げられる。この反射防止膜としては、下地の保護部材１３０の透光部と屈折率が異なり、可視光の半波長程度の膜厚を有する単層構造を有するものや、屈折率の異なる層を交互に積層させてなる多層構造を有するものなどの、光の干渉を利用して反射光を打ち消すものがある。さらに、保護部材１３０の透光部自体を、反射防止機能を有するもの、たとえば上記の多層構造などで構成してもよい。
【００２１】
図８は、本実施形態の表示装置１００に対する画像情報の供給方法（システム）を模式的に示す概略構成図である。画像情報は、例えば、表示装置１００によって複数（図示例では４つ）の画面を表示する場合、撮影系２００を用いて共通の撮影対象から撮像装置（カメラ）２０１により複数の画像情報を取得し、これらの複数の画像情報を画像合成器２０２によって合成する。この合成画像情報は制御用ＰＣなどの処理装置４００によって処理され、上記の表示装置１００の制御手段１０３に送られる。また、記録系３００に設けられた複数の記録手段３０１にてそれぞれ記録された画像情報を直接処理装置４００によって処理し、上記の表示装置１００に合成画像情報として送ることもできる。
【００２２】
図９は、上記の電気光学表示体１１０の表示パネル１１０Ｐａ，１１０Ｐｂを構成する液晶装置の概略斜視図である。表示パネル１１０Ｐａ，１１０Ｐｂは、ガラスなどで構成される基板１１１と１１２とをシール材１１３を介して貼り合わせ、その内側に図示しない液晶を封入してなる。ここで、液晶はシール材１１３の開口部１１３ａから注入され、その後、封止材１１３ｂによって開口部１１３ａは封鎖されている。基板１１１の内面上には電極１１１ａが形成され、基板１１２の内面上には電極１１２ａが形成され、電極１１１ａと１１２ａとが対向する部分が画素を構成する領域となっている。電極１１１ａは配線１１１ｂに接続され、電極１１２ａは配線１１１ｃに接続されている。
【００２３】
基板１１１には基板１１２の外形よりも張り出してなる基板張出部１１１Ｔが設けられ、この基板張出部１１１Ｔ上に上記配線１１１ｂ，１１１ｃが引き出されている。また、配線１１１ｂの外周側には入力端子列１１５が形成されている。基板張出部１１１Ｔ上には、液晶駆動回路などを構成する半導体装置１１６，１１７が実装されている。半導体装置１１６は上記配線１１１ｂ及び入力端子列１１５に導電接続されている。また、半導体装置１１７は、上記配線１１１ｃと、入力端子列１１５に接続された連絡配線１１４とに導電接続されている。基板張出部１１１Ｔの端部には配線基板１１８が実装され、この配線基板１１８内の各配線は、入力端子列１１５の各端子に導電接続されている。
【００２４】
なお、図示例ではパッシブマトリクス型の液晶パネル構造を示してあるが、本実施形態においては、ＴＦＴ（薄膜トランジスタ）やＴＦＤ（薄膜ダイオード）などの能動素子を備えたアクティブマトリクス型の液晶パネル構造を用いることもできる。また、図示例では透過型の液晶パネル構造を示してあるが、半透過反射型の液晶パネル構造を用いてもよい。
【００２５】
電気光学表示体１１０は、上記表示パネル１１０Ｐａ，１１０Ｐｂの背後に照明装置（バックライト）１１９を備えている。この照明装置１１９は、ＬＥＤなどの発光素子で構成される光源１１９Ａと、この光源１１９Ａに対向配置される端面（光入射面）を備えた導光板１１９Ｂを有し、光源１１９Ａから放出された光を導光板１１９Ｂの上記端面から内部に導入し、その板面から放出するように構成することにより、面状光源として機能するように構成される。具体的には、この照明装置１１９を表示パネル毎に設ける場合には、導光板１１９Ｂの背面側には、光を前面側に反射させる反射板１１９Ｃが配置されることが好ましい。また、導光板１１９Ｂの前面側には、光を拡散させる拡散板や光の照射方向を揃える集光板１１９Ｄなどが配置されることが望ましい。なお、上記光源１１９Ａは上記配線基板１１８に実装されることが望ましい。
【００２６】
図９は、照明装置１１９の片側に配置された一つの表示パネルを照明する構成について図示してあるが、本実施形態では、照明装置１１９は表示パネル１１０Ｐａと、１１０Ｐｂとの間に配置され、導光板１１９Ｂの表裏両面からそれぞれ照明光を放出できるように構成されている。この場合、上記反射板１１９Ｃを配置せずに、上記拡散板や集光板１１９Ｄを表裏両面に配置することが好ましい。このように共通の照明装置１１９によって表裏の表示パネル１１０Ｐａ，１１０Ｐｂを照明することにより、照明装置を表示パネル１１０Ｐａと１１０Ｐｂのそれぞれに設ける場合よりも光の利用効率を向上させることができ、消費電力を低減することが可能になる。
【００２７】
図１０は、本実施形態の全体構成を示す概略構成図である。本実施形態の上記電気光学表示体１１０には、上述の構成を有する表示パネル１１０Ｐａ，１１０Ｐｂと、この表示パネル１１０Ｐａ，１１０Ｐｂをそれぞれ駆動する駆動回路１１０Ｄａ，１１０Ｄｂが設けられている。この駆動回路１１０Ｄａ，１１０Ｄｂは、上述の半導体装置１１６，１１７によって構成されるが、一般的には、表示パネル１１０Ｐに直接実装されている電子部品（半導体ＩＣなど）、パネル表面上に形成された回路パターン、或いは、表示パネル１１０Ｐａ，１１０Ｐｂに導電接続された回路基板（上記配線基板１１８など）に実装された半導体ＩＣチップ若しくは回路パターンなどの種々の構成が可能である。
【００２８】
制御手段１０３には、主制御部１０３Ａと、電気光学表示体１１０の表示状態を制御する表示制御部１０３Ｃａ，１０３Ｃｂと、上記駆動モータ１０２を駆動する駆動回路１０３Ｄとが設けられている。ここで、表示制御部１０３Ｃａの内部構成及び表示パネル１１０Ｐａとの関係と、表示制御部１０３Ｃｂの内部構成及び表示パネル１１０Ｐｂとの関係とは同一であるので、表示制御部１０３Ｃａについてのみ内部構成を示してある。これらの表示制御部１０３Ｃａ，１０３Ｃｂには、表示情報出力源１０３１と、表示情報処理回路１０３２と、タイミングジェネレータ１０３４とが設けられている。ここで、電源回路１０３３及び光源制御回路１０３５は、表示制御部１０３Ｃａ，１０３Ｃｂとは別に一つずつ設けられている。
【００２９】
表示情報出力源１０３１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１０３４によって生成された各種のクロック信号に基づいて、所定フォーマットの画像信号等の形で表示情報を表示情報処理回路１０３２に供給するように構成されている。この表示情報出力源１０３１は、上記主制御部１０３Ａからの制御信号に基づいて表示情報を出力する。
【００３０】
表示情報処理回路１０３２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１１０Ｄへ供給する。駆動回路１１０Ｄは、走査線駆動回路、信号線駆動回路及び検査回路を含む。また、電源回路１０３３は、上述の各構成要素にそれぞれ所定の電圧を供給する。
【００３１】
タイミングジェネレータ１０３４は、主制御部１０３Ａから受ける制御信号に応じてタイミング信号を生成し、これによって表示制御部１０３Ｃの表示制御タイミングを制御する。例えば、電気光学表示体１１０の自転角度位置を検出器１２１ｓ（支持軸１２１の回転角度を検出するエンコーダなどの角度位置検出器などで構成できる。）によって検出する場合には、主制御部１０３Ａが検出器１２１ｓの検出信号に応じてタイミングジェネレータ１０３４を制御することで、表示制御部１０３Ｃの表示制御タイミングを設定し、これによって電気光学表示体１１０の表示タイミングをその自転角度位置に対応させることができる。
【００３２】
光源制御回路１０３５は、主制御部１０３Ａの制御信号に基づいて、電源回路１０３３から供給される電力を照明装置１１９の光源１１９Ａに供給する。光源１０９Ａから放出された光は導光板１０９Ｂに入射して表示パネル１１０Ｐに照射される。この光源制御回路１０３５は、上記制御信号に応じて光源１１９Ａの点灯／非点灯を制御する。また、光源の輝度を制御することも可能である。
【００３３】
本実施形態では、電気光学表示体１１０を高速で自転させ、電気光学表示体１１０の表示画面１１０Ａが特定の自転角度位置を向く度に所定の画像を表示し、表示画面１１０Ｂが左記の特定の自転角度位置を向く度に所定の画像を表示するように制御する。すなわち、表示画面１１０Ａと１１０Ｂに自転周期と同期し、相互に１８０度ずれた表示位相で画像を表示させる。これにより、上記所定の自転角度位置において視認する観察者は、電気光学表示体１１０の自転一回転毎に２回、所定の画像を視認することができる。これによって、電気光学表示体１１０が単一の表示画面のみを備えている場合に較べて、特定の自転角度位置を視認する観察者が感じる表示の明るさを高めることができるとともに、表示画像の鮮明度を向上させることができる。
【００３４】
また、従来と同様に、表示画面１１０Ａ、１１０Ｂに異なる自転角度位置において異なる画像を表示することで、複数の方角から視認したときに、異なる画像を視認できるように構成することができる。さらに、本実施形態の場合には、複数の表示画面１１０Ａ，１１０Ｂが設けられているので、表示画面１１０Ａと表示画面１１０Ｂとを、相互に異なる所定の自転角度位置において表示させることも可能である。
【００３５】
［第２実施形態］
次に、図４及び図５を参照して、本発明に係る第２実施形態の表示装置１００′について説明する。この実施形態では、図４及び図５中の第１実施形態と同一部分には同一符号を付し、また、図４及び図５に図示していない点については第１実施形態と同様であるので、それらの説明は省略する。
【００３６】
本実施形態においては、電気光学表示体１１０′のみが上記第１実施形態とは異なる。この電気光学表示体１１０′には、３つの表示画面１１０Ａ′，１１０Ｂ′，１１０Ｃ′が設けられている。これらの表示画面１１０Ａ′，１１０Ｂ′，１１０Ｃ′は、自転軸１１０Ｘの周囲にて外側に向けた姿勢で配列されている。より具体的には、３つの表示画面は自転軸１１０Ｘの周りに等角度間隔（１２０度ピッチ）で配置されている。
【００３７】
電気光学表示体１１０′には枠体１１０Ｓ′が設けられ、この枠体１１０Ｓ′に表示画面１１０Ａ′を有する表示パネル１１０Ｐａ′、表示画面１１０Ｂ′を有する表示パネル１１０Ｐｂ′、表示画面１１０Ｃ′を有する表示パネル１１０Ｐｃ′が固定されている。これらの各表示パネルは第１実施形態に示すものと同様の構造を有する。また、各表示パネルには、第１実施形態にて示したものと同様の照明装置が設けられるか、或いは、枠体１１０Ｓ′の内側に共通の照明装置が設けられる。
【００３８】
本実施形態では、電気光学表示体１１０′が自転すると、特定の自転角度位置にいる観察者は、表示画面１１０Ａ′、表示画面１１０Ｂ′、表示画面１１０Ｃ′を順次視認することになり、各表示画面１１０Ａ′，１１０Ｂ′，１１０Ｃ′に自転周期と同期し、それぞれの角度位置に対応した表示位相（位相が１２０度ずつずれたタイミング）で画像を表示することにより、電気光学表示体１１０′の一回転につき３回画像を視認できるようになる。したがって、第１実施形態よりもさらに表示の明るさを高めることができ、画像の鮮明化を図ることができる。
【００３９】
また、本実施形態では、枠体１１０Ｓ′に固定された各表示パネル１１０Ｐａ′，１１０Ｐｂ′，１１０Ｐｃ′を自転軸１１０Ｘの周りに等角度間隔で配置することで、電気光学表示体１１０′の自転軸１１０Ｘの周りの重量分布が緩和されるため、電気光学表示体１１０′の自転動作がスムーズになるという利点もある。
【００４０】
この実施形態では、各表示パネル（例えば１１０Ｐａ′）の自転方向側の側縁部（図示の右端部）が、自転方向に隣接する表示パネル（例えば１１０Ｐｃ′）の自転方向とは反対側の端面部と重なるように配置されている。これによって、或る表示パネル（例えば１１０Ｐａ′）の表示画面（例えば１１０Ａ′）を見ているときに、隣接する表示パネル（例えば１１０Ｐｃ′）の端面部が隠れるため、表示画像の側縁部をシャープに見せることができる。特に、図示例とは異なり、表示画面（例えば１１０Ａ′）の側縁部が隣接する表示パネル（例えば１１０Ｐｃ′）の端面部に重なるように構成されていることが、表示画像の側縁をよりシャープに見せる上で望ましい。
【００４１】
［第３実施形態］
次に、図６及び図７を参照して、本発明に係る第３実施形態の表示装置１００″について説明する。この実施形態では、図６及び図７中の第１実施形態と同一部分には同一符号を付し、また、図６及び図７に図示していない点については第１実施形態と同様であるので、それらの説明は省略する。
【００４２】
本実施形態においては、電気光学表示体１１０″のみが上記第１実施形態及び第２実施形態とは異なる。この電気光学表示体１１０″には、４つの表示画面１１０Ａ″，１１０Ｂ″，１１０Ｃ″，１１０Ｄ″を有する。これらの表示画面１１０Ａ″，１１０Ｂ″，１１０Ｃ″，１１０Ｄ″は自転軸１１０Ｘの周りに外周側に向いた姿勢で配列されている。これらの表示画面は全て等角度間隔（図示例では９０度間隔）で自転軸１１０Ｘの周りに配置されている。
【００４３】
本実施形態では、枠体１１０Ｓ″に、上記表示画面１１０Ａ″を備えた表示パネル１１０Ｐａ″と、上記表示画面１１０Ｂ″を備えた表示パネル１１０Ｐｂ″と、上記表示画面１１０Ｃ″を備えた表示パネル１１０Ｐｃ″と、上記表示画面１１０Ｄ″を備えた表示パネル１１０Ｐｄ″とが固定されている。これらの各表示パネルは第１実施形態に示すものと同様の構造を有する。また、各表示パネルには、第１実施形態にて示したものと同様の照明装置が設けられるか、或いは、枠体１１０Ｓ″の内側に共通の照明装置が設けられる。
【００４４】
本実施形態では、電気光学表示体１１０″が自転すると、特定の自転角度位置にいる観察者は、表示画面１１０Ａ″、表示画面１１０Ｂ″、表示画面１１０Ｃ″、表示画面１１０Ｄ″を順次視認することになり、各表示画面１１０Ａ″，１１０Ｂ″，１１０Ｃ″，１１０Ｄ″に自転周期と同期し、それぞれの角度位置に対応した表示位相（位相が９０度ずつずれたタイミング）で画像を表示することにより、電気光学表示体１１０″の一回転につき４回画像を視認できるようになる。したがって、第１実施形態よりもさらに表示の明るさを高めることができ、画像の鮮明化をさらに図ることができる。
【００４５】
また、本実施形態では、枠体１１０Ｓ″に固定された各表示パネル１１０Ｐａ″，１１０Ｐｂ″，１１０Ｐｃ″，１１０Ｐｄ″を自転軸１１０Ｘの周りに等角度間隔で配置することで、電気光学表示体１１０″の自転軸１１０Ｘの周りの重量分布が緩和されるため、電気光学表示体１１０″の自転動作がさらにスムーズになるという利点もある。
【００４６】
この実施形態では、各表示パネル（例えば１１０Ｐａ″）の自転方向側の側縁部（図示の右端部）が、自転方向に隣接する表示パネル（例えば１１０Ｐｄ″）の自転方向とは反対側の端面部と重なるように配置されている。これによって、或る表示パネル（例えば１１０Ｐａ″）の表示画面（例えば１１０Ａ″）を見ているときに、隣接する表示パネル（例えば１１０Ｐｄ″）の端面部が隠れるため、表示画像の側縁部をシャープに見せることができる。特に、図示例とは異なり、表示画面（例えば１１０Ａ″）の側縁部が隣接する表示パネル（例えば１１０Ｐｄ″）の端面部に重なるように構成されていることが、表示画像の側縁をよりシャープに見せる上で望ましい。
【００４７】
尚、本発明の電気光学装置及び電子機器は、上述の図示例にのみ限定されるものではなく、本発明の要旨を逸脱しない範囲内において種々変更を加え得ることは勿論である。たとえば、上記実施形態では、表示画面が１つの場合、２つの場合、４つの場合についてそれぞれ説明したが、表示画面が３つの場合、５つ以上の場合でも本発明を適用することが可能である。また、本発明においては黒色の背景表示を用いることが好ましいが、表示画面の最低明度以下の明度であれば、黒色でなく灰色などでも充分な効果を得ることが可能である。
【図面の簡単な説明】
【００４８】
【図１】第１実施形態の前方斜視図（ａ）及び後方斜視図（ｂ）。
【図２】第１実施形態の縦断面図。
【図３】第１実施形態の平面図。
【図４】第２実施形態の斜視図。
【図５】第２実施形態の平面図。
【図６】第３実施形態の斜視図。
【図７】第３実施形態の平面図。
【図８】実施形態の画像情報供給方法或いはシステムの構成を模式的に示す説明図。
【図９】実施形態に用いる電気光学表示体の構成例を示す概略斜視図。
【図１０】実施形態の概略構成を示す概略構成ブロック図。
【符号の説明】
【００４９】
１００，１００′，１００″…表示装置、１０１…ケース、１０２…駆動モータ、１０３…制御手段、１１０，１１０′，１１０″…電気光学表示体、１１０Ａ，１１０Ｂ，１１０Ａ′，１１０Ｂ′，１１０Ｃ′、１１０Ａ″，１１０Ｂ″，１１０Ｃ″，１１０Ｄ″…表示画面、１１０Ｐａ，１１０Ｐｂ，１１０Ｐａ′，１１０Ｐｂ′，１１０Ｐｃ′，１１０Ｐａ″，１１０Ｐｂ″，１１０Ｐｃ″，１１０Ｐｄ″…表示パネル、１２０…軸支構造、１３０…保護部材
【図１】
2005189621.tif 000003
【図２】
2005189621.tif 000004
【図３】
2005189621.tif 000005
【図４】
2005189621.tif 000006
【図５】
2005189621.tif 000007
【図６】
2005189621.tif 000008
【図７】
2005189621.tif 000009
【図８】
2005189621.tif 000010
【図９】
2005189621.tif 000011
【図１０】
2005189621.tif 000012